(57)【要約】【課題】原稿から画像を読み込む前に読み取りを行うべき範囲を特定して効率よく読み取りを行え、不所望な画像が読み取った画像中に写り込むこともない画像読取装置を提供する。【解決手段】カバーユニット１３には原稿を押さえる押さえ面１３４の各部の反射率が電気的に変更できる反射率変更装置１３３が備えられる。本読み取りに先立って行われる仮読み取りにより、反射率変更装置１３３によって構成される原稿１４の押さえ面１３４に形成された反射率の分布パターンにおける原稿の陰になって欠落している欠落部分に基づいて、本読み取り時の読取範囲が決定される。そして、その読取範囲に対して本読み取りが行われることにより、原稿の画像が読み取られる。【選択図】図１
2009200863.tif 000002
【特許請求の範囲】
【請求項１】
原稿セットガラスにセットされた原稿の画像を読み取る読取ユニットと、前記原稿を前記原稿セットガラスとの間で挟み込む押さえ面を有し、前記押さえ面の各部の反射率が電気的に変更できる押さえ板と、前記読取ユニット及び前記押さえ板を制御する制御部と、を備え、
前記制御部は、前記押さえ面に反射率が所定の態様で分布する分布パターンを形成させた状態で前記読取ユニットに仮読み取りを行わせ、前記分布パターンにおける前記原稿の陰になっている部分に基づいて読み取りを行うべき読取範囲を決定した後、その読取範囲について前記原稿の前記画像を読み取る本読み取りを前記読取ユニットに行わせることを特徴とする画像読取装置。
【請求項２】
請求項１に記載の画像読取装置において、
前記制御部は、前記仮読み取り時の前記分布パターンにおける前記原稿の陰になっている前記部分に基づいて、前記読取範囲とともに前記原稿のサイズを検出することを特徴とする画像読取装置。
【請求項３】
請求項１又は請求項２に記載の画像読取装置において、
前記制御部は、前記仮読み取り時の前記分布パターンにおける前記原稿の陰になっている前記部分に基づいて、前記読取範囲とともに前記原稿の所定の基準方向に対する傾きを検出し、前記本読み取りによって得られた前記原稿の前記画像の前記傾きを修正することを特徴とする画像読取装置。
【請求項４】
請求項１ないし請求項３のいずれかに記載の画像読取装置において、
前記制御部は、前記仮読み取り時に前記押さえ板の前記押さえ面に形成する複数種類の前記分布パターンを切り替え可能に備えていることを特徴とする画像読取装置。
【請求項５】
請求項４に記載の画像読取装置において、
前記制御部は、前記仮読み取りを行ったときに前記押さえ面の前記分布パターンにおける前記原稿の陰になっている前記部分が判別困難と判断した場合には、前記押さえ面の前記分布パターンの種類を変更し、前記仮読み取りを再度行うことを特徴とすることを特徴とする画像読取装置。
【請求項６】
請求項１ないし請求項５のいずれかに記載の画像読取装置において、
前記制御部は、本読み取り時には前記押さえ板の前記押さえ面の反射率を、実率的に白色に視認されるように全面において一様に向上させることを特徴とする画像読取装置。
【請求項７】
請求項１ないし請求項６のいずれかに記載の画像読取装置において、
前記制御部は、前記仮読み取り時に、前記分布パターンとして、異なる反射率がストライプ状に分布する分布パターンを前記押さえ板の前記押さえ面に形成することを特徴とする画像読取装置。
【発明の詳細な説明】
【技術分野】
【０００１】
本発明は、画像読取装置に関する。
【背景技術】
【０００２】
従来の典型的な画像読取装置では、原稿セットガラスにセットされた原稿のサイズ等を原稿センサによって検出している。しかし、この原稿センサによる検出では、Ａ３、Ａ４等の定型サイズの原稿の検出を主眼とするものであり、定型サイズ以外の原稿のサイズ等は検出できない。このため、定型サイズ以外の原稿の画像を読み取るときは、原稿よりも広い範囲について読み取りが行われてしまい、効率が悪い。
【０００３】
この点に関する対策として、特許文献１に記載の技術では、原稿を押さえる押さえ板に縞模様等のパターンを付与し、そのパターンを利用して原稿のサイズ及び位置を検出する。しかし、この特許文献１に記載の技術では、原稿の画像を読み込むときに原稿の周辺に位置するの押さえ板の縞模様のパターンが一緒に読み込まれてしまう場合がある。また、原稿の画像を読み込むときに原稿を透して押さえ板の縞模様のパターンが写り込んでしまう場合もある。
【０００４】
なお特許文献２及び３には、原稿の画像を読み込むときの原稿の裏写りを防止するために、原稿の押さえ板の押さえ面の色又は反射率を可変としたものが記載されている。
【特許文献１】特開平４−３２３５８号公報
【特許文献２】特開２００１−２１８０１８号公報
【特許文献３】特開２００７−１５０７９２号公報
【発明の開示】
【発明が解決しようとする課題】
【０００５】
そこで、本発明の解決すべき課題は、原稿から画像を読み込む前に読み取りを行うべき範囲を特定して効率よく読み取りを行え、不所望な画像が読み取った画像中に写り込むこともない画像読取装置の提供である。
【課題を解決するための手段】
【０００６】
上記の課題を解決するため、本発明に係る画像読取装置は、原稿セットガラスにセットされた原稿の画像を読み取る読取ユニットと、前記原稿を前記原稿セットガラスとの間で挟み込む押さえ面を有し、前記押さえ面の各部の反射率が電気的に変更できる押さえ板と、前記読取ユニット及び前記押さえ板を制御する制御部とを備え、前記制御部は、前記押さえ面に反射率が所定の態様で分布する分布パターンを形成させた状態で前記読取ユニットに仮読み取りを行わせ、前記分布パターンにおける前記原稿の陰になっている部分に基づいて読み取りを行うべき読取範囲を決定した後、その読取範囲について前記原稿の前記画像を読み取る本読み取りを前記読取ユニットに行わせる。
【０００７】
また、本発明に係る画像読取装置において、前記制御部は、前記仮読み取り時の前記分布パターンにおける前記原稿の陰になっている前記部分に基づいて、前記読取範囲とともに前記原稿のサイズを検出する。
【０００８】
また、本発明に係る画像読取装置において、前記制御部は、前記仮読み取り時の前記分布パターンにおける前記原稿の陰になっている前記部分に基づいて、前記読取範囲とともに前記原稿の所定の基準方向に対する傾きを検出し、前記本読み取りによって得られた前記原稿の前記画像の前記傾きを修正する。
【０００９】
また、本発明に係る画像読取装置において、前記制御部は、前記仮読み取り時に前記押さえ板の前記押さえ面に形成する複数種類の前記分布パターンを切り替え可能に備えている。
【００１０】
また、本発明に係る画像読取装置において、前記制御部は、前記仮読み取りを行ったときに前記押さえ面の前記分布パターンにおける前記原稿の陰になっている前記部分が判別困難と判断した場合には、前記押さえ面の前記分布パターンの種類を変更し、前記仮読み取りを再度行う。
【００１１】
また、本発明に係る画像読取装置において、前記制御部は、本読み取り時には前記押さえ板の前記押さえ面の反射率を、実率的に白色に視認されるように全面において一様に向上させる。
【００１２】
また、本発明に係る画像読取装置において、前記制御部は、前記仮読み取り時に、前記分布パターンとして、異なる反射率がストライプ状に分布する分布パターンを前記押さえ板の前記押さえ面に形成する。
【発明の効果】
【００１３】
発明によれば、押さえ板の押さえ面に形成された反射率が所定の態様で分布する分布パターンにおける原稿の陰になっている部分に基づいて読み取りを行うべき読取範囲を決定した後、その読取範囲について原稿の画像を読み取る本読み取りを行う。それ故、原稿から画像を読み込む前に読み取りを行うべき範囲を特定して効率よく読み取りを行えるとともに、原稿セットガラス上の任意の位置にセットされた原稿から効率よく画像を読み取れる。
【００１４】
また、押さえ板の押さえ面はその各部の反射率が電気的に変更できるため、本読み取りの際は、押さえ面の色（反射率）を押さえ面のパターン等が原稿を透して写り込まないような色（例えば、白色）にできる。
【００１５】
本発明によれば、専用の原稿センサ等を用いることなく、原稿のサイズを検出できる。
【００１６】
本発明によれば、原稿が原稿セットガラス上に所定の基準方向に対して傾いてセットされている場合でも、原稿から読み取られた画像の傾きを自動的に修正してユーザに提供でき、便利である。
【００１７】
本発明によれば、押さえ板の押さえ面に形成する複数種類の分布パターンが切り替え可能に備えられているため、原稿に付された画像等に応じて分布パターンの種類を変更できる。その結果、原稿の画像に押さえ面のパターンとが類似してしまい、仮読み取りの際に分布パターンにおける原稿の陰になっている部分の判別が誤って行われ、本読み取りの際の読取範囲等が誤って決定される等の不都合を防止できる。
【００１８】
本発明によれば、仮読み取りの際に押さえ板の押さえ面に形成される分布パターンの種類を原稿の画像等に応じて適切なものに自動的に切り替えさせることができ、便利である。
【００１９】
本発明によれば、本読み取り時には押さえ板の押さえ面の反射率が、実率的に白色に視認されるように全面において一様に向上されるため、押さえ面のパターンが原稿を透して写り込むのを防止できる。
【００２０】
本発明によれば、仮読み取り時に、異なる反射率がストライプ状に分布する分布パターンが押さえ板の押さえ面に形成されため、原稿の画像と分布パターンとの判別を容易に行える。
【発明を実施するための最良の形態】
【００２１】
図１は本発明の一実施形態に係る画像読取装置としてのファクシミリ複合機（以下、単に「複合機」という）１０の斜視図である。なお、本実施形態では本発明に係る画像読取装置を複合機１０に適用した場合について説明するが、本発明に係る画像読取装置は、原稿セットガラスと原稿を押さえる押さえ板とを備えたファクシミリ、コピー機又はスキャナー等にも適用できる。
【００２２】
この複合機１０は、図１に示すように、本体の上部に原稿の画像を読み取る読取ユニット１１が搭載されている。読取ユニットは、スキャナ部１２と、スキャナ部１２に対して開閉できる押さえ板としてのカバーユニット１３とを備えている。カバーユニット１３は、スキャナ部１２の原稿セットガラス１２１との間で原稿を挟み込む押さえ板として機能するとともに、原稿トレイ１３１にセットされた原稿をスキャナ部１２の読取位置に通過させる原稿送り装置としても機能する。このため、カバーユニット１３には原稿を搬送する原稿送り機構１３２（図３参照）が備えられている。
【００２３】
スキャナ部１２は、図２等に示すように、原稿セットガラス１２１、読取部１２２及び読取部駆動機構１２３（図３参照）を備えている。読取部１２２は、原稿セットガラス１２１上にセットされた原稿１４の画像、及び、カバーユニット１３の原稿送り機構１３２によって読取位置を通過される原稿（図示せず）の画像を読み取る。読取部１２２の詳細な構成としては、図示は省略するが、原稿を照明する照明ユニットと、画像の読み取りを行う画像読取素子と、原稿からの反射光を画像読取素子の受光面上に導き像を結ぶ光学系とが備えられている。読取部駆動機構１２３は、原稿セットガラス１２１上にセットされた原稿１４から画像を読み取る際に読取部１２２を副走査方向１５に駆動する。
【００２４】
カバーユニット１３は、上記の原稿送り機構１３２、及び、カバーユニット１３の原稿セットガラス１２１側に向いた面に設けられた反射率変更装置１３３（図３参照）を備えている。反射率変更装置１３３は、カバーユニット１３が閉じられたときに原稿セットガラス１２１との間で原稿１４を挟み込む押さえ面１３４を有し、その押さえ面１３４の各部の光の反射率を電気的に自由に変更できる。この押さえ面１３４の各部の反射率は、後述するＭＰＵ（Micro Processing Unit）２１により制御される。この反射率変更装置１３３の役割等については後に詳述する。
【００２５】
反射率変更装置１３３としては、例えば電子ペーパー又は反射型の液晶表示パネル等が用いられる。電子ペーパーとしては、種々の構成のものを採用できるが、例えばマイクロカプセル方式、電子粉流体方式、又はエレクトロウェッティング方式等のものが採用できる。反射率変更装置１３３の押さえ面１３４の反射率が大きくされるほど反射される光の光量が増加するため、押さえ面１３４が白くなっていく。反対に、押さえ面１３４の反射率が小さくされるほど、押さえ面１３４が黒くなっていく。
【００２６】
次に図３を参照して、複合機１０の電気的な構成について説明する。この複合機１０は、図３に示すように、制御部としてのＭＰＵ２１と、ＮＣＵ（Network Control Unit）２２と、モデム（MODEM）２３と、上記の読取ユニット１１と、操作パネル２４と、記憶部としてのＲＯＭ（Read Only Memory）２５、ＳＲＡＭ（Static Random Access Memory）２６及び画像メモリ２７と、及びプリンタ２８とを備えている。このような複合機１０は、ファクシミリ機能、コピー機能及びスキャナ機能等を備えている。
【００２７】
ＭＰＵ２１は、複合機１０の制御を統括するものであり、ソフトウェアにより動作する。ＮＣＵ２２は、アナログ又はデジタルの公衆電話回線網２９との回線の接続等を行うハードウェアであり、必要に応じてモデム２３を公衆電話回線網２９と接続する。モデム２３は、ファクシミリ通信が可能なファクシミリモデムから構成されている。
【００２８】
操作パネル２４は、複合機１０の操作のために用いられるものであり、キーボード、液晶表示部等を備える。ＲＯＭ２５には、ＭＰＵ２１に読み込まれる各種ソフトウェア及び設定データ等が保存されている。ＳＲＡＭ２６には、電話帳データ等が記憶されている。画像メモリ２７は、ファクシミリで送信及び受信される画像データ、読取ユニット１１によって読み取られた画像データ等が保存される。プリンタ２８は、読取ユニット１１により原稿から読み取られた画像データ、ファクシミリで受信された画像データ等を記録紙に印刷する。
【００２９】
次に本実施形態に複合機１０の反射率変更装置１３３を用いた画像の読み取りについて説明する。反射率変更装置１３３は、原稿セットガラス１２１上にセットされた原稿１４の画像を読み取る際に用いられる。原稿セットガラス１２１上にセットされた原稿１４からの画像の読み取りは、図４に示すように、仮読み取りを行うステップＳ１と、本読み取りを行うステップＳ２の２段階の処理によって行われる。
【００３０】
ステップＳ１では、ＭＰＵ２１は、例えば図５に示すように反射率変更装置１３３の押さえ面１３４に反射率が所定の態様で分布する分布パターンを形成させた状態で読取ユニット１１に仮読み取りを行わせる。そして、ＭＰＵ２１は、その仮読み取り結果に基づいて、本読み取りの際の読取範囲を決定する。図５に示す例では、異なる反射率がストライプ状に分布する分布パターンが押さえ面１３４に形成される。より具体的には図５の例では、副走査方向１５に沿って延びる複数の帯状領域の反射率（黒レベル）が、主走査方向１７上流側から下流側（あるいは、下流側から上流側）に向けて段階的に大きく（黒レベルが低く）なっている。
【００３１】
このような反射率の分布パターンに関するパターン情報は、ＲＯＭ２５又はＳＲＡＭ２６等に記憶されており、ＭＰＵ２１による反射率変更装置１３３の制御、及び、仮読み取りよって得られた読取画像中の反射率の分布パターンの認識等に用いられる。
【００３２】
読取範囲の決定は、次のようにして行われる。すなわち、仮読み取りでは、図６に示すように、反射率の分布パターンが形成された押さえ面１３４の手前に原稿１４が配置された状態で読取部１２２による読み取りが行われる。この仮読み取りでは、原稿１４が原稿セットガラス１２１上のどの領域にセットされているか不明であるため、例えば原稿セットガラス１２１上における原稿１４がセット可能な領域の全体について読み取りが行われる。
【００３３】
このような仮読み取りによって得られた読取画像では、押さえ面１３４の反射率の分布パターン中に原稿１４の陰になっている部分である欠落部分が生じる。そこで、その欠落部分に基づいて読み取りを行うべき読取範囲が決定される。例えば、反射率の分布パターン中の欠落部分が原稿１４が存在する領域であり、その欠落部分が本読み取り時の読取範囲として決定される。このように、読取範囲が決定されることにより、原稿セットガラス１２１上における原稿１４の位置も自ずと認識される。
【００３４】
反射率の分布パターン中の原稿１４の陰になった欠落部分の検出は、例えば次のようにして行われる。図７は図６中の位置１〜３における読取画像の出力波形を示す図である。なお、図７の波形はデジタル形式の画素値を波形として表したものである（後述の図１１、図１３及び図１７についても同様）。この図７に示すように、押さえ面１３４の反射率の分布パターンが読み取られている部分（原稿１４の陰になっていない部分）は、反射率の分布パターンに応じた波形が得られる。これに対し、押さえ面１３４の反射率の分布パターンが原稿１４の陰になっている部分（欠落部分）は、反射率の分布パターンに応じた波形とは異なり、原稿１４に付された画像に応じた波形が得られる。このため、反射率の分布パターンに応じた波形が他の波形に変化する境目を検出することにより、本読み取り時の読取範囲（あるいは、原稿１４の外縁）を検出できる。
【００３５】
続くステップＳ２の本読み取りでは、ＭＰＵ２１は、仮読み取りによって決定して読取範囲について読取ユニット１１に原稿１４の画像の読み取りを行わせる。この本読み取りでは、読取範囲が決定されているため、読取範囲に応じた最小限の範囲で読取部１２２が読取部駆動機構１２３により副走査方向１５に駆動される。また、この本読み取りの際、ＭＰＵ２１は、反射率変更装置１３３に押さえ面１３４の反射率を、図８に示すように、押さえ面１３４が白色に視認されるように全面において一様に向上させる。このとき、押さえ面１３４の反射率は例えば全面において最大に設定される。
【００３６】
これにより本読み取りでは、原稿１４の画像が効率よく読み取られる。例えば、読取画像中に原稿１４の外側に位置する不要な画像が写り込むのを防止できる。また、本読み取り時は、押さえ面１３４の全面が白色にされるため、押さえ面１３４の分布パターンが原稿１４を透して裏写りを防止できる。
【００３７】
また、上記のような仮読み取りでは、例えば図９に示すように、原稿１４が基準位置１６から離れた位置にセットされている場合であっても、原稿１４のセットされた位置に応じた読取範囲が決定される。
【００３８】
さらに言えば、上記のような仮読み取りで押さえ面１３４の反射率の分布パターンの欠落部分を検出することによって、原稿セットガラス１２１上における原稿１４のサイズ等を検出できる。これは、原稿１４が原稿セットガラス１２１上の任意の位置にセットされている場合であっても行える。検出された原稿１４のサイズに関する情報は、原稿１４の読取画像の印刷時における記録紙のサイズの選択等に利用される。
【００３９】
また、原稿１４が基準方向である主走査方向１７に対して傾いてセットされている場合でも、原稿１４の主走査方向１７に対する傾きを検出することもできる。この傾きの検出等については後に詳述する。
【００４０】
ここで、例えば図１０に示すように、押さえ面１３４に形成される反射率の分布パターンと類似した画像１４１が原稿１４に含まれている場合がある。図１１は、図１０中の位置１〜３における読取画像の出力波形を示す図である。図１０のような場合は、図１１に示すように、仮読み取りによって得られた読取画像中の原稿１４を通る位置２の出力波形が、原稿１４の存在しない部分を通る位置３の出力波形と類似する。このため、仮読み取りによって得られた読取画像中における反射率の分布パターンと、原稿１４の陰になっている欠落部分が判別困難となり、本読み取り時の読取範囲を決定できない。
【００４１】
その対策として本実施形態では、押さえ面１３４に形成する複数種類の反射率の分布パターンに関するパターン情報がＲＯＭ２５又はＳＲＡＭ２６に複数記憶されている。このため、反射率の形成に用いるパターン情報を切り替えることにより、押さえ面１３４に形成する反射率の分布パターンを切り替えることができる。
【００４２】
また本実施形態では、ＭＰＵ２１が、仮読み取りによって得られた読取画像の状況に応じて押さえ面１３４に形成する反射率の分布パターンの種類を変更する。すなわち、仮読み取り時に、ＭＰＵ２１は、まず押さえ面１３４にいずれかの種類の反射率の分布パターンを形成した状態で仮読み取りを行い、その仮読み取りによって読み取られた押さえ面１３４の反射率の分布パターンの欠落部分が判別可能か否か判定する。そして、ＭＰＵ２１は、欠落部分が判別可能と判定した場合には、欠落部分を検出して本読み取り時の読取範囲を決定する。一方、欠落部分が判別困難と判定した場合には、ＭＰＵ２１は、押さえ面１３４に形成する反射率の分布パターンの種類を変更し、仮読み取りを再度行う。この反射率の分布パターンの種類の変更と仮読み取りは、反射率の分布パターンにおける原稿１４の陰になっている欠落部分が判別できるまで繰り返される。
【００４３】
なお変形例として、反射率の分布パターンの種類を変更しても反射率の分布パターンの原稿１４の陰になっている欠落部分が判別困難な場合には、原稿セットガラス１２１上に複数の原稿１４が離れた状態でセットされている可能性等が考えられる。そのような場合は、ＭＰＵ２１が、反射率の種類の変更を中止して操作パネル２４を介して、ユーザに読取範囲の設定を手動等で行うことを促すメッセージ等を表示してもよい。
【００４４】
反射率の分布パターンの種類の変更の例としては、例えば図１０に示す分布パターンから、図１２に示す分布パターンへの変更が挙げられる。図１２に示す例では、押さえ面１３４の全面の反射率が一様に最大限に下げられて押さえ面１３４の全面が黒色になっている。図１３は、図１２中の位置１〜３における読取画像の出力波形を示す図である。このように反射率の分布パターンを変更することにより、図１３の位置２の出力波形のように、原稿１４の画像１４１と押さえ面１３４の反射率の分布パターンとの判別が容易になる。これによって、仮読み取りによって得られた読取画像中における押さえ面１３４の反射率の分布パターンの原稿１４の陰になっている欠落部分が容易に判別でき、本読み取り時の読取範囲を正確に決定できる。
【００４５】
押さえ面１３４に形成する反射率の分布パターンとしては、種々の分布パターンが採用できるが、例えば図１４及び図１５に示す分布パターンが挙げられる。図１４及び図１５に示す例では、反射率の分布パターンが、副走査方向１５に沿って延びる幅の広い複数の帯状ライン１３５と、副走査方向１５に沿って延びる幅の狭い複数の線状ライン１３６とが主走査方向１７に交互に配列されて構成されている。図１４の例では、帯状ライン１３５が反射率（黒レベル）が黒色又はグレーとされ、線状ライン１３６の反射率（黒レベル）が白色とされている。また図１５の例では、帯状ライン１３５が反射率（黒レベル）がグレー又は白色とされ、線状ライン１３６の反射率（黒レベル）が黒色とされている。
【００４６】
また、例えば上述の図６に示すように、原稿１４が原稿セットガラス１２１上の基準位置１６にセットされている場合は原稿１４は基準方向である主走査方向１７と平行な状態となっている。しかし、図１６に示すように、原稿１４が原稿セットガラス１２１上における基準位置１６から離れた位置にセットされた場合には、原稿１４が主走査方向１７に対して傾きやすい。この場合、そのまま原稿１４の画像が読み取られると、原稿１４の画像も傾いた状態で読み取られてしまう。
【００４７】
そこで、本実施形態では、そのような場合に原稿１４の主走査方向１７に対する傾きを検出して、その検出結果に基づいて原稿１４の読取画像の傾きを修正する。この点について以下に詳述する。
【００４８】
ＭＰＵ２１は、仮読み取りによって読み取られた押さえ面１３４の反射率の分布パターンの画像における原稿１４の陰になっている欠落部分に基づいて、原稿１４の主走査方向１７に対する傾きの有無を判定する。判定の結果、原稿１４が主走査方向１７に対して傾いている場合には、ＭＰＵ２１は、本読み取り時の読取範囲とともに原稿１４の主走査方向１７に対する傾きを検出し、本読み取りによって得られた原稿１４の画像を検出した傾きに応じて回転させ傾きを修正する。原稿１４が主走査方向１７に対して傾いていない場合には、ＭＰＵ２１は、原稿１４の傾きを検出することなく、本読み取り時の読取範囲の検出を行った後、読取範囲について本読み取りを行う。この場合は本読み取りによって得られた読取画像に対する傾きの修正は行われない。
【００４９】
仮読み取りの際の原稿１４の傾きの検出は、例えば、仮読み取りによって読み取られた押さえ面１３４の反射率の分布パターンの画像における原稿１４の陰になっている欠落部分に基づいて、原稿１４の角の位置（座標）を検出することにより行われる。その傾きの検出方法の具体例について、図１６及び図１７を参照して以下に説明する。なお図１７は、図１６中の位置１〜６における読取画像の出力波形を示す図である。
【００５０】
例えば、仮読み取りにより得られた読取画像中の原稿１４の陰になっている欠落部分における副走査方向１５の最上流側及び最下流側に位置する角（ピーク）３１，３２と、主走査方向１７の最上流側及び最下流側に位置する角（ピーク）３３，３４が検出される。そして、その４つの角３１〜３４の座標を検出し、角３１〜３４の位置関係から原稿１４の傾きが検出される。なお、変形例として、読取画像中の原稿１４の陰になっている欠落部分の４辺のうちのいずれかの辺の方向（例えば、辺と主走査方向１７との成す角度等）を検出することにより、原稿１４の傾きを検出してもよい。
【００５１】
以上のように、本実施形態によれば、仮読み取りにより、反射率変更装置１３３によって構成される原稿１４の押さえ面１３４に形成された反射率の分布パターンにおける原稿１４の陰になって欠落している欠落部分に基づいて、本読み取り時の読取範囲が決定される。そして、その読取範囲に対して本読み取りが行われることにより、原稿１４の画像が読み取られる。それ故、原稿１４から画像を読み込む前に読み取りを行うべき範囲を特定して効率よく読み取りを行えるとともに、原稿セットガラス１２１上の任意の位置にセットされた原稿１４から効率よく画像を読み取れる。
【００５２】
また、専用の原稿センサ等を用いることなく、原稿のサイズを検出できる。
【００５３】
また、原稿１４が原稿セットガラス１２１上に主走査方向１７に対して傾いてセットされている場合でも、原稿１４から読み取られた画像の傾きを自動的に修正してユーザに提供でき、便利である。
【００５４】
また、本読み取り時には原稿１４の押さえ面１３４の反射率が、実率的に白色に視認されるように全面において一様に向上されるため、押さえ面１３４の反射率の分布パターンが原稿１４を透して写り込むのを防止できる。
【００５５】
また、押さえ面１３４に形成する複数種類の反射率の分布パターンが切り替え可能に備えられているため、原稿１４に付された画像等に応じて反射率の分布パターンの種類を変更できる。その結果、原稿１４の画像に押さえ面１３４の反射率の分布パターンとが類似してしまい、仮読み取りの際に反射率の分布パターンにおける原稿１４の陰になっている欠落部分の判別が誤って行われ、本読み取りの際の読取範囲等が誤って決定される等の不都合を防止できる。
【００５６】
また、仮読み取りの際に押さえ面１３４に形成される反射率の分布パターンの種類を原稿１４の画像等に応じて適切なものに自動的に切り替えさせることができ、便利である。
【００５７】
また、仮読み取り時に、異なる反射率がストライプ状に分布する分布パターンを押さえ面１３４に形成することにより、原稿１４の画像と反射率の分布パターンとの判別を容易に行える。
【図面の簡単な説明】
【００５８】
【図１】本発明の一実施形態に係る画像読取装置としてのファクシミリ複合機の斜視図である。
【図２】図１のファクシミリ複合機の読取ユニットのスキャナ部の構成を示す断面図である。
【図３】図１のファクシミリ複合機の電気的な構成を示すブロック図である。
【図４】図１のファクシミリ複合機の読み取り時の動作を示すフローチャートである。
【図５】反射率変更装置によって形成される反射率の分布パターンを示す図である。
【図６】仮読み取り時の様子を示す図である。
【図７】図６の反射率の分布パターンを用いて仮読み取りを行ったときに得られる読取画像の各位置の波形を示す図である。
【図８】反射率変更装置の押さえ面が白色にされた状態を示す図である。
【図９】仮読み取り時の様子を示す図である。
【図１０】仮読み取り時の様子を示す図である。
【図１１】図１０の反射率の分布パターンを用いて仮読み取りを行ったときに得られる読取画像の各位置の波形を示す図である。
【図１２】仮読み取り時の様子を示す図である。
【図１３】図１２の反射率の分布パターンを用いて仮読み取りを行ったときに得られる読取画像の各位置の波形を示す図である。
【図１４】反射率変更装置によって形成される反射率の分布パターンを示す図である。
【図１５】反射率変更装置によって形成される反射率の分布パターンを示す図である。
【図１６】仮読み取り時の様子を示す図である。
【図１７】図１６の反射率の分布パターンを用いて仮読み取りを行ったときに得られる読取画像の各位置の波形を示す図である。
【符号の説明】
【００５９】
１０  ファクシミリ複合機
１１  読取ユニット
１２  スキャナ部
１２１  原稿セットガラス
１２２  読取部
１２３  読取部駆動機構
１３  カバーユニット
１３２  原稿送り機構
１３３  反射率変更装置
１３４  押さえ面
１４  原稿
１５  副走査方向
１７  主走査方向
２１  ＭＰＵ
【図１】
2009200863.tif 000003
【図２】
2009200863.tif 000004
【図３】
2009200863.tif 000005
【図４】
2009200863.tif 000006
【図５】
2009200863.tif 000007
【図６】
2009200863.tif 000008
【図７】
2009200863.tif 000009
【図８】
2009200863.tif 000010
【図９】
2009200863.tif 000011
【図１０】
2009200863.tif 000012
【図１１】
2009200863.tif 000013
【図１２】
2009200863.tif 000014
【図１３】
2009200863.tif 000015
【図１４】
2009200863.tif 000016
【図１５】
2009200863.tif 000017
【図１６】
2009200863.tif 000018
【図１７】
2009200863.tif 000019